(57)【要約】【課題】  建築用型枠を構成する断熱パネルを、仮設型枠として使用したとき、固まったコンクリート躯体から断熱パネルを損傷させることなく簡単に離脱させることができる。【解決手段】  断熱パネル１０よりなる、打込型枠Ｍ１および仮設型枠Ｍ２を連結する建築用型枠の連結金具で、一端に打込型枠Ｍ１の連結バー１５に連結される屈曲部１ｂを有し、他端に仮設型枠Ｍ２に連結されるナット６を有するセパレータ１と、仮設型枠Ｍ２の連結バー１５に固定される固定ボルト２ａと、ナット６と固定ボルト２ａとを着脱可能に連結する連結ブロック３よりなり、連結ブロック３は、仮設型枠Ｍ１の断熱パネル１０とセパレータ１とを連結し、ナット６および固定ボルト２ａからの離脱により、仮設型枠Ｍ２の断熱パネル１０をセパレータ１より分離できる。【選択図】    図９
2009150053.tif 000002
【特許請求の範囲】
【請求項１】
コンクリートの打設空間（Ｓ）をあけて相対向して互いに平行に建て込まれる、断熱パネル（１０）よりなる打込型枠（Ｍ１）および断熱パネル（１０）よりなる仮設型枠（Ｍ２）を連結するための建築用型枠の連結金具であって、
一端に打込型枠（Ｍ１）の連結バー（１５）に連結される屈曲部（１ｂ）を有し、他端に仮設型枠（Ｍ２）に連結される係止片（６）を有するセパレータ（１）と、
仮設型枠（Ｍ２）の連結バー（１５）に固定される固定部材（２）と、
前記係止片（６）と固定部材（２）とを着脱可能に連結する連結ブロック（３）とを備え、
前記連結ブロック（３）は、連結バー（１５）を介して連結される仮設型枠（Ｍ２）の上下の断熱パネル（１０）とセパレータ（１）とを連結し、また前記係止片（６）および固定部材（２）からの離脱により、仮設型枠（Ｍ２）の断熱パネル（１０）をセパレータ（１）より分離できるようにしたことを特徴とする、建築用型枠の連結金具。
【請求項２】
前記係止片（６）は、セパレータ（１）の他端に形成される雄ネジ部（１ｃ）に螺合させるナットよりなり、また、前記固定部材（２）は、連結バー（１５）の連結孔（１９）に固定される固定ボルトよりなることを特徴とする、前記請求項１記載の建築用型枠の連結金具。
【請求項３】
前記断熱パネル（１０）の表面には、ウレタン樹脂などの合成樹脂コーティング材（１２）がコーティングされていることを特徴とする、前記請求項１または２記載の建築用型枠の連結金具。
【発明の詳細な説明】
【技術分野】
【０００１】
本発明は、建築用断熱型枠を仮設型枠として利用できるように、その断熱型枠を、固まったコンクリート躯体から損傷させることなく、容易に離脱できいるようにした、建築用型枠の連結金具にに関する。
【背景技術】
【０００２】
従来、コンクリート躯体を有する建築物において、そのコンクリート躯体を成形するために、コンクリート打設空間をあけて互いに平行に建て込まれる、内、外側のコンクリート型枠の型枠材を断熱パネルにより構成したものは公知である。
【特許文献１】特許第３８４５３４６号公報
【発明の開示】
【発明が解決しようとする課題】
【０００３】
ところで、前記内、外の断熱型枠は、
(1) 打込型枠（コンクリート躯体の成型後に解体せずにそのまま残してコンクリート躯体の建材、たとえば、断熱壁）として利用する外に、
(2) 在来の合板型枠などの仮設型枠（コンクリート躯体の成型後に解体）として利用することが行なわれる。
【０００４】
ところで、断熱型枠を、打込型枠あるいは仮設型枠として用いる何れの場合にも、コンクリート打設空間をあけて建て込まれる内、外の断熱型枠は、コンクリートの打設圧に耐え得るように、両断熱型枠を強固に結合する必要があり、また、それらの断熱型枠の何れか一方を仮設型枠として利用するときは、固まったコンクリート躯体から、断熱型枠を離脱させる必要がある。
【０００５】
本発明は、かかる実情に鑑みてなされたものであり、内、外の断熱型枠を強固に連結することができ、また、それらの断熱型枠の何れか一方を仮設型枠として利用するときは、その仮設型枠を損傷することなく、コンクリート躯体から容易に離脱させることができるようにした新規な、建築用型枠材の連結金具を提供することを目的とする。
【課題を解決するための手段】
【０００６】
上記目的を達成するために、請求項１記載の発明は、コンクリートの打設空間をあけて相対向して互いに平行に建て込まれる、断熱パネルよりなる打込型枠および断熱パネルよりなる仮設型枠を連結するための建築用型枠の連結金具であって、
一端に打込型枠の連結バーに連結される屈曲部を有し、他端に仮設型枠に連結される係止片を有するセパレータと、仮設型枠の連結バーに固定される固定部材と、前記係止片と固定部材とを着脱可能に連結する連結ブロックとを備え、前記連結ブロックは、連結バーを介して連結される仮設型枠の、上下の断熱パネルとセパレータとを連結し、また前記係止片および固定部材からの離脱により、仮設型枠の断熱パネルをセパレータより分離できるようにしたことを特徴としている。
【０００７】
また、上記目的を達成するために、請求項２記載の発明は、前記請求項１記載のものにおいて、前記係止片は、セパレータの他端に形成される雄ネジ部に螺合させるナットよりなり、また、前記固定部材は、連結バーの連結孔に固定される固定ボルトよりなることを特徴としている。
【０００８】
さらに、上記目的を達成するために、請求項３記載の発明は、前記請求項１または２記載のものにおいて、前記断熱パネルの表面には、ウレタン樹脂などの合成樹脂コーティング材がコーティングされていることを特徴としている。
【発明の効果】
【０００９】
本請求項各項の発明によれば、内、外の断熱型枠を強固に連結することができ、また、それらの断熱型枠の何れか一方を仮設型枠として利用するときは、その仮設型枠を構成する断熱パネルをセパレータから簡単容易に離脱させることができ、これにより断熱パネルを損傷することなく、固まったコンクリート躯体から容易に離脱させることができる。
【００１０】
また本請求項３項の発明によれば、断熱パネルの表面には、ウレタン樹脂などの合成樹脂コーティング材がコーティングされてることにより、断熱パネルにコンクリート躯体からの離脱が一層容易になると共に断熱パネルの損傷防止が一層確実になる。
【発明を実施するための最良の形態】
【００１１】
以下、本発明の実施の形態を、添付図面に例示した本発明の実施例に基づいて以下に具体的に説明する。
【００１２】
図１は、連結金具の分解斜視図、図２は、断熱パネルの接続部の斜視図、図３は、連結金具および断熱パネルの分解断面図、図４は、内、外の断熱パネルおよび連結金具の斜視図、図５は、図４の５−５線に沿う断面図、図６は図５の６矢視仮想線囲い部分の拡大図、図７は、図６の７−７線に沿う断面図、図８は、図６の８−８線に沿う断面図、図９は、内、外の断熱パネルの、連結金具による連結工程を示す図である１。
【００１３】
図１に示すように、本発明にかかる連結金具は、Ｌ型セパレータ１と、固定具２と、連結ブロック３とを備えている。
【００１４】
Ｌ型セパレータ１は、鋼材などの金属材よりなる丸棒により作られており、直状の本体部１ａと、その本体部１ａの一端よりＬ字状に屈曲される屈曲部１ｂと、前記本体部１ａの他端部の雄ネジ部１ｃとを備え、前記雄ネジ部１ｃには、ワッシャー５および係止片としてのナット６が螺合されている。そして、後述するように、このセパレータ１は、その屈曲部１ｂが、打込型枠（解体しない）Ｍ１側の断熱パネルに連結され、またその雄ネジ部１ｃが仮設型枠（解体する）Ｍ２側の断熱パネルに着脱可能に連結される。
【００１５】
前記固定具２は、この実施例では、固定ボルト２ａおよびそこに螺合されるナット２ｂとを備え、後述する連結バー１５に起立状態で固定される。
【００１６】
前記連結ブロック３は、四角なブロック状に形成されており、その一側に上下方向の貫通孔３ａが穿設されると共にその他側にトンネル状の横嵌合溝３ｂおよびこの横嵌合溝３ｂにクロスして連通すると共に連結ブロック３の前面に開口されるトンネル状の縦嵌合溝３ｃが形成されている。そして、後述するように、前記貫通孔３ａには、前記固定ボルト２ａのネジ部が貫通され、また、前記横嵌合溝３ｂには、セパレータ１のナット６が嵌合され、さらに前記縦嵌合溝には、セパレータ１のネジ部１ｃが嵌合されるようになっている。
【００１７】
図５に示すように、コンクリート躯体を成形するための建築用型枠Ｍは、コンクリートの打設空間Ｓをあけて相互に略平行に設けられる左、右断熱型枠Ｍ１，Ｍ２よりなり、それらの断熱型枠Ｍ１，Ｍ２は、複数の断熱パネル１０群を順次に建て込み、それらを連結バー１５により連結して構成されている。一方の断熱型枠Ｍ１は、打込型枠（コンクリート躯体の成型後、解体せずに断熱建材として利用）として構成され、また他方の断熱型枠Ｍ２は、仮設型枠（コンクリート躯体の成型後、解体する）として構成される。
【００１８】
断熱パネル１０は、硬質の断熱合成樹脂材により、全体が横長の長方形の板状に形成されており、ＥＰＳ断熱型枠材に、ウレタン樹脂材のような合成樹脂製コーティング材１２を施して表面が硬く平滑に形成されており、コンクリートからの剥離性が良くなる外、表面強度も高くなり、施工性に優れている。
【００１９】
断熱パネル１０の上端面および下端面には、その外面側に偏らせてその厚み方向の中間部に、その全長にわたりスリット１１が形成される。また、断熱パネル１０の上端面の内側（コンクリート打設側）には、その全長にわたり前記連結バーの厚さと略同じ厚さの帯状の突条部１０ａが形成されており、また、断熱パネル１０の下端面は、その内側（コンクリート打設側）半面が低く、外側半面が高い段状に形成されており、その下端面の前縁には、その全長にわたり薄い帯状の弾褥性断熱材１３が接着されている。また図２，３に最も明瞭に示すように、断熱パネル１０の下端部の、セパレータ１の連結される箇所にはこの連結金具の連結ブロック３が受容される下面開放に凹部１０ｂが形成されている。
【００２０】
上下の断熱パネル１０を連結する連結バー１５は、金属板または硬質合成樹脂板により形成され、断熱パネル１０の長さと略同じ長さを有しており、平坦な板状に形成される水平部１６と、この水平部１６の一端より上下方向に略直角に対称的に起立形成される上、下差込部１７，１８とを備えて横断面横Ｔ状に形成される。前記水平部１６には、その長手方向に間隔をあけて複数の連結孔１９が穿設されて断熱型パネル１０の厚み幅よりも若干幅狭に形成されていて断熱パネル１０が建て込まれるとき、それらの上端面と下端面との間に挟持される。また、前記上、下差込部１７，１８は、それらの先端に鋸歯状の抜止め歯１７ａ，１８ａが一体に形成され、断熱型枠１０のスリット１１，１１に差し込み結合される際に、抜止め歯１７ａ，１８ａはスリット１１，１１に食い込んでその抜け出しが防止される。
【００２１】
図３〜５に示すように、コンクリートの打設空間Ｓを存して互いに平行に建て込まれる左側の型枠、すなわち打込型枠Ｍ１と、右側の型枠、すなわち仮設型枠Ｍ２は、本発明にかかる連結金具により一体に連結される。
【００２２】
図４に示すよに、打込型枠Ｍ１の断熱パネル１０の上面に予め固定されている連結バー１５の連結孔１９に、その上方からＬ型セパレータ１の屈曲部１ｂを差し込み連結する。      
【００２３】
このとき、図６，８に示すように、セパレータ１の屈曲部１ｂは、断熱パネル１０間の弾褥性の帯状断熱材１３を押し潰して上、下の断熱パネル１０間に挟まれて、連結孔１９に挿入される。そして上、下の断熱パネル１０間の間隙は、この断熱材１３で埋められる。これにより、打込型枠Ｍ１に、複数のセパレータ１の屈曲端１ｂが連結される。
【００２４】
一方、仮設型枠Ｍ２側の連結バー１５には、これを断熱パネル１０の上面に連結する前に、その連結バー１５の連結孔１９に、その下面から固定具２の固定ボルト２ａを差込み、この固定ボルト２ａにナット２ｂを螺締して、この固定ボルト２ａを起立状態に固定する。その後、連結バー１５を断熱パネル１０の上面に固定する。
【００２５】
つぎに、係止片すなわちナット６を螺合したセパレータ１の雄ネジ部１ｃを、連結バー１５を固定した断熱パネル１０上に臨ませ、連結ブロック３の横嵌合溝３ｂおよび縦嵌合溝３ｃを、セパレータ１の係止片６および雄ネジ部１ｃに嵌合させ、かつその貫通孔３ａを固定ボルト２ａに貫通させる。これにより、図５，６に示すように、セパレータ１の雄ネジ部１ｃは、連結ブロック３を介して連結バー１５に着脱可能に連結される。
【００２６】
セパレータ１の雄ねじ部１ｃが、連結ブロック３を介して連結された断熱パネル１０の上面には、連結バー１５の上差込部１７に上位の断熱パネル１０のスリット１１を差し込むことにより、下位に断熱パネル１０上に上位の断熱パネル１０が接続される。このとき、図７に示すように、帯状の断熱材１３はセパレータ一に雄ネジ部１ｃにより押し潰され、上位と下位の断熱パネル１０の接続部間の間隙は断熱材１３により埋められる。また連結ブロック３は、上位の断熱パネル１０の凹部１０ｂに収容される。またセパレータ１の雄ネジ部１ｃに螺合されているワッシャー５は、上、下の断熱パネル１０の内面に跨がって圧接される。
【００２７】
以上の操作により、図５の示すように、打込型枠Ｍ１側の上、下の各断熱パネル１０の接続部には、セパレータ１の一端、すなわちその屈曲部１ｂが着脱可能に連結され、また、仮設型枠Ｍ２側の上、下の断熱パネルの接続部には、セパレータ１の他端、すなわちその雄ネジ部１ｃが、連結ブロック３および固定具２を介して着脱可能に連結される。
【００２８】
図４に示すように、打込型枠Ｍ１と仮設型枠Ｍ２との間のコンクリート打設空間Ｓに、生コンクリートを打設することにより、建物のコンクリート躯体が成形される。
【００２９】
コンクリート躯体の成形完了後は、打込型枠Ｍ１は、解体することなく、そのまま建物の断熱建材として使用することができる。
【００３０】
また、仮設型枠Ｍ２は、コンクリート躯体の成形後、そこから分離して撤去される。
【００３１】
つぎに、その手順を図９を参照して説明する。
【００３２】
(1) 図９（Ａ）に示すように、仮設型枠Ｍ２の上位の断熱パネル１０は、これを上方に引張することにより、下位の断熱パネル１０より分離することができる。このとき、断熱パネル１０の表面は、ウレタン材などのコーティング材１２がコーティングされて、硬く平滑にされているので、この断熱パネル１０のコンクリート躯体からの離脱が容易である。
【００３３】
(2) 図９（Ａ）に示すように、連結ブロック３をセパレータ１および固定具２から分離する。このとき、連結ブロック３は、セパレータ１および固定具２に嵌合されているだけなので、それらから容易に分離することができる。
【００３４】
(3) つぎに、図９（Ｂ）に示すように、下位の断熱パネル１０をコンクリート躯体から離脱することができる。
【００３５】
係止具、すなわちナット６をセパレータ１の雄ネジ部１ｃから離脱させ、セパレータ１の突出した雄ネジ部１ｃは、適宜切断して、コンクリート躯体の表面を平坦にする。
【００３６】
以上のように、断熱型枠材である断熱パネル１０を簡単に解体してコンクリート躯体から分離することができるので、断熱型枠材を仮設型枠Ｍ２として使用することができ、しかもこの仮設型枠Ｍ２を組み付けるにあたって、従来の縦端太、横端太、フォームタイなどよりなる支保工が不要になる。
【００３７】
そして．断熱型枠材よりなる仮設型枠Ｍ２を解体できることで、コンクリート躯体のコンクリート欠損の有無の確認が容易になる。
【００３８】
以上、本発明の実施例について説明したが、本発明はその実施例に限定されることなく、本発明の範囲内で種々の実施例が可能である。
【図面の簡単な説明】
【００３９】
【図１】連結金具の分解斜視図
【図２】断熱パネルの接続部の斜視図
【図３】連結金具および断熱パネルの分解断面図
【図４】内、外の断熱パネルおよび連結金具の斜視図
【図５】図４の５−５線に沿う断面図
【図６】図５の６矢視仮想線囲い部分の拡大図
【図７】図６の７−７線に沿う断面図
【図８】図６の８−８線に沿う断面図
【図９】内、外の断熱パネルの、連結金具による連結工程を示す図
【符号の説明】
【００４０】
１・・・・・・・・・・・Ｌ型セパレータ
１ｂ・・・・・・・・・・屈曲部
１ｃ・・・・・・・・・・雄ネジ部
２・・・・・・・・・・・固定具
２ａ・・・・・・・・・・固定ボル
３・・・・・・・・・・・連結ブロック
６・・・・・・・・・・・係止片（ナット）
１０・・・・・・・・・・断熱パネル
１２・・・・・・・・・・コーティング材
１５・・・・・・・・・・連結バー
１９・・・・・・・・・・連結孔
Ｍ１・・・・・・・・・・打込型枠
Ｍ２・・・・・・・・・・仮設型枠
Ｓ・・・・・・・・・・・コンクリート打設空間
【図１】
2009150053.tif 000003
【図２】
2009150053.tif 000004
【図３】
2009150053.tif 000005
【図４】
2009150053.tif 000006
【図５】
2009150053.tif 000007
【図６】
2009150053.tif 000008
【図７】
2009150053.tif 000009
【図８】
2009150053.tif 000010
【図９】
2009150053.tif 000011